(57)【要約】【課題】  地震発生時に食器棚や陳列棚等の開き戸が開くのを防ぎ、地震の震動で内部の食器や商品等が飛び出して破損・散乱するのを防止することにより損害を軽減し、安全を確保する。【解決手段】  本体内部でワイヤー（又は紐）１８を巻き取りローター４に巻き付け、他方をワイヤー（又は紐）引っかけ金具１９で開き戸に固定。巻き取りゼンマイバネ６を持つローター４、ブレーキゴム１２と案内ローラー１８を持つブレーキレバー１４とストッパーゴム８を持つストップレバー１１を設けた地震防災用品により、この課題を解決する。【選択図】  図１、
0003110078.tif 000002
【実用新案登録請求の範囲】
【請求項１】
本体内部に、ゼンマイバネで回転するローターと先端をローターに固定、巻き付けられたワイヤー（又は紐）と、ブレーキ装置、ストップ装置を内蔵し、ワイヤー（又は紐）の他端に、開き戸への接続器具を有した地震防災用品
【考案の詳細な説明】
【技術分野】
【０００１】  この考案は、地震発生時に食器棚等の開き戸が開くのを防止し内部の収納物が散乱することを防止するための装置に関する。
【背景技術】
【０００２】  従来、地震発生時に食器棚等の開き戸が開くのを防ぐ方法としては、安価で有効な物がなく、あってもマグネットを使ったものや爪を使って固定するものなど高価で複雑、使いにくいものしかなかった。
【考案の開示】
【考案が解決しようとする課題】
【０００３】  地震発生時に食器棚や陳列棚等の開き戸が開くのを防ぐもので、地震の震動で内部の食器や商品等が飛び出して破損・散乱するのを防止して損害を少なくすると同時に室内の安全を確保する安価で取り扱いのやさしい地震防災用品を提供する。
【課題を解決するための手段】
【０００４】  上記の目的を達成するために、この考案は、ワイヤー（又は紐）の片方を本体内部の巻き取りローターに巻き付け、他方を金具などを用いて開き戸に取り付ける。巻き取りローターはゼンマイバネで常にワイヤー（又は紐）を巻き取る力を発生させている。巻き取りローターの側には支点をはさんでブレーキゴムと案内ローラーを取り付けたブレーキレバーを設ける。ブレーキレバーは引っ張りバネで巻き取りローターに制動がかからないような方向に力を掛けておく。ワイヤー（又は紐）は案内ローラーを介して開き戸に取り付ける。食器や商品を納めるために長時間開き戸を開けておきたい時のために、巻き取りローターの回転を止めワイヤー（又は紐）が巻き取られる力を停止して開き戸が自動的に閉まるのを止めるためのストップレバーを設ける。
【考案の効果】
【０００５】  この考案は、以上説明したように構成するので、以下に記載するような効果を奏する。
普段は開き戸を開ける場合、ゆっくりとした動きなので、開き戸に取り付けられたワイヤー（又は紐）は、ブレーキレバーの引っ張りバネに打ち勝って、ブレーキレバーに取り付けられた案内ローラーを引っ張り、ブレーキゴムを巻き取りローターに押しつけることができず、常に閉まる力が働いているので開けっ放しの状態をなくすことができる。これは地震の時開けっ放しの状態になることを防ぐとともに、陳列された商品が、開けっ放しによって保冷・冷蔵効果が失われることを防ぐことにより節電などの効果を奏する。
地震が発生した時には、地震の震動で急激にドアーが開かれようとするので、ワイヤー（又は紐）が大きな力で引っ張られる。ワイヤー（又は紐）は案内ローラーに掛けられているので案内ローラーにも大きな力がかかり反対側に付けられたブレーキゴムが巻き取りローターに押しつけられ巻き取りローターの回転を止める。このことによってワイヤー（又は紐）は引き出されなくなり開き戸はそれ以上開かなくすることができる。地震により逆の力が働いたり、開く力がなくなった時は、開き戸には、常にワイヤー（又は紐）は巻き取りローターに取り付けられたゼンマイバネの力で閉じる方向の力がかかっているので閉じようとする。食器や商品を入れる時など、開き戸を開けたまま作業をしたい場合にはストップレバーによりワイヤー（又は紐）が巻き取りローターに捲かれるのを停止することによって行うことができる。よって地震で開き戸が開くのを防ぎ、食器や商品が散乱、破損するのを防ぎ、また散乱し破損した食器や商品のガラス片等で怪我をしたり逃げ道を塞がれることを防ぐなど、危険を回避し安全性を確保する効果を奏する。
【考案を実施するための最良の形態】
【０００６】  この考案は、毎日使用されることから耐久性を必要とし、特に地震の被害を軽減するためのものなので全体として金属や強化プラスチックなどの材料を使って丈夫に作ることが望まれる。この装置は家具や設備機器に製造段階で組み込むと目立たないで一番良いが、既製の家具や設備機器にも取り付けられるように両面テープとねじ止めを併用して、位置決めの便利さと取り付け強度を確保する方が良い。ワイヤー（又は紐）も金属製のものやテグスなど強度のある合成繊維、天然素材では麻紐など切れにくい耐久性のあるものが望ましい。本体からのワイヤー（又は紐）の引き出し口は、スムースにワイヤー（又は紐）が通過できるようにすることが必要である。ブレーキレバー・案内ローラーにもかなりの力がかかるので強度が必要である。ブレーキゴムも耐摩耗性の優れた素材を使用する必要がある。ゼンマイバネの強度はドアーを引き寄せる力が必要であるが、大きすぎると普段開き戸を開ける時にブレーキレバーが作動してしまい、また引っ張りバネも大きすぎると地震の時にブレーキレバーが働かず小さすぎると普段開き戸を開ける時にブレーキレバーが働いてしまうので両バネは力のバランスを考えて設置する必要がある。ストップレバーは、その位置を見える位置に使用しやすい形でレバー式又はプッシュ式で取り付けると良い。
【実施例】
【０００７】  図１は、地震防災用品の本体構造と開き戸との接続を表す投影図である。
図２は、地震防災用品の本体と開き戸との別方法による接続を表す外観図である。
本体１の内部中央に巻き取りローター回転軸７を設け巻き取りローター４を取り付ける。巻き取りローター４の中央部にはゼンマイバネ６を取り付ける。巻き取りローター４にはローター巻き取り部６があり、そこにワイヤー（又は紐）１８を巻き付けてある。ワイヤー（又は紐）１８は、ブレーキレバー１３に案内ローラー回転軸１６に取り付けられた案内ローラー１５に掛けられて本体１の穴から外部に導かれ、終端を開き戸２１に木ねじ２０で取り付けられたワイヤー（又は紐）１８の引っかけ金具１９に接続されている。ブレーキレバー９はブレーキレバー回転軸１４を中心に回転する。ブレーキレバー９の片側にはブレーキゴム１２が取り付けられ、反対側には引っ張りバネ１７が取り付けられ、常にブレーキゴム１２を巻き取りローター４から離す力が掛けられている。普段開き戸をゆっくりと開けるときは、ゼンマイバネ６の力に逆らって巻き取りローター４を回転させるワイヤー（又は紐）１８が案内ローター１５に掛ける力より、引っ張りバネ１７の力が勝るので、ワイヤー（又は紐）１８がスムースに引き出され開き戸２１を開くことができる。地震などで急激に開き戸２１が開かれると、ワイヤー（又は紐）１８の引く力によって案内ローラー１５に掛かる力が引っ張りバネ１７の力より勝り、ブレーキレバー１３をブレーキレバー回転軸１４を中心に回転させる。これによりブレーキレバー１３にとりつけられたブレーキゴム１２が、巻き取りローター４の外周部に押しつけられワイヤー（又は紐）１８が引き出されるのを止め、開き戸２１が開かないようになる。地震の逆揺れなどでワイヤー（又は紐）１８が開き戸２１により引っ張られなくなると、引っ張りバネ１７の力でブレーキレバー１２が戻り、ゼンマイバネ６の力で巻き取りローター４が回転してワイヤー（又は紐）１８はローター巻き取り部に巻き取られ開き戸２１は閉まる。
食器の収納や商品の陳列の作業の時、開き戸２１を一時的に開けておきたい場合には、ストップレバー９で行う。ストップレバー９はストップレバー回転軸１１に取り付けられている。ストップレバー９の巻き取りローター４側にはストッパーゴム８を取り付けてある。ストップレバー９は圧縮バネ１０の力でどちらかの側に押しつけられるシーソー運動をする。開き戸２１を開き、ストップレバー９を上げればストッパーゴム８が巻き取りローター４の外周部に押しつけられワイヤー（又は紐）１８がローター巻き取り部６に巻き取られなくなり開き戸２１はその時の状態を保つことができる。本体１は蓋２で内部を保護し、底面に両面粘着シート２４を貼り位置決めをしやすくするとともに、取り付け穴３を設け確実に強固に取り付けられるようにする。又、開き戸２１へワイヤー（又は紐）１８を接続する場合、図２には、開き戸２１にワイヤー（又は紐）の通し穴２３を設けワイヤー（又は紐）１８の終端にワイヤー（又は紐）の抜け止め２２を取り付ける方法を示す。
【産業上の利用の可能性】
【０００８】  上記のように構成した地震防災用品は、家庭における食器棚など開き戸を持つあらゆる家具に取り付けることができると同時に、商店の陳列ケースにも取り付けることができる。地震の発生時、開き戸の解放で収納品が散乱するのを防ぐことは勿論、引き出しの飛び出しにも効果がある。また大型の装置を作れば、ロッカー・家具や冷蔵庫などの電気製品の転倒を防止したり、地震の時テレビなどが飛ばされる事を防止できるものである。普段は自由に動かせるが地震発生時には動きを固定することが必要な場合に、設備の保護・安全の確保をあらゆる場面で提供できる可能性をもっている。
【図面の簡単な説明】
【０００９】
【図１】  地震防災用品の本体構造と開き戸との接続を表す投影図
【図２】  地震防災用品の本体と開き戸との別方法による接続を表す外観図
【符号の説明】
【００１０】  １……本体
２……蓋
３……取り付け穴
４……巻き取りローター
５……ローター巻き取り部
６……ゼンマイバネ
７……ローター回転軸
８……ストッパーゴム
９……ストップレバー
１０……圧縮バネ
１１……ストップレバー回転軸
１２……ブレーキゴム
１３……ブレーキレバー
１４……ブレーキレバー回転軸
１５……案内ローラー
１６……案内ローラー回転軸
１７……引っ張りバネ
１８……ワイヤー（又は紐）
１９……ワイヤー（又は紐）の引っかけ金具
２０……木ねじ
２１……開き戸
２２……ワイヤー（又は紐）の抜け止め
２３……ワイヤー（又は紐）の通し穴
２４……両面接着シート
【図１】
0003110078.tif 000003
【図２】
0003110078.tif 000004
【手続補正書】
【提出日】平成17年2月14日(2005.2.14)
【手続補正１】
【補正対象書類名】実用新案登録請求の範囲
【補正対象項目名】全文
【補正方法】変更
【補正の内容】
【実用新案登録請求の範囲】
【請求項１】
本体内部に、ゼンマイバネで回転するローターと先端をローターに固定、巻き付けられたワイヤー又は紐と、ブレーキ装置、ストップ装置を内蔵し、ワイヤー又は紐の他端に、開き戸への接続器具若しくは本体を開き戸に取り付けた場合の開き戸を取り付けた枠体への接続器具を有した地震防災用品。
【請求項２】
本体内部に、ゼンマイバネで回転するローターと先端をローターに固定、巻き付けられたワイヤー又は紐と、ブレーキ装置、ストップ装置を内蔵し、ワイヤー又は紐の他端に、引き出しへの接続器具若しくは本体を引き出しに取り付けた場合の引き出し保持体への接続器具を有した地震防災用品。
【請求項３】
本体内部に、ゼンマイバネで回転するローターと先端をローターに固定、巻き付けられたワイヤー又は紐と、ブレーキ装置、ストップ装置を内蔵し、ワイヤー又は紐の他端に、  転倒防止若しくは移動防止対象部位への接続器具を有した地震防災用品。
【手続補正２】
【補正対象書類名】明細書
【補正対象項目名】全文
【補正方法】変更
【補正の内容】
【考案の詳細な説明】
【技術分野】
【０００１】この考案は、地震発生時に食器棚等の開き戸が開くのを防止し内部の収納物が散乱することを防止するための装置に関する。
【背景技術】
【０００２】    従来、地震発生時に食器棚等の開き戸が開くのを防ぐ方法としては、安価で有効な物がなく、あってもマグネットを使ったものや爪を使って固定するものなど高価で複雑、使いにくいものしかなかった。
【考案の開示】
【考案が解決しようとする課題】
【０００３】  地震発生時に食器棚や陳列棚等の開き戸が開くのを防ぐもので、地震の震動で内部の食器や商品等が飛び出して破損・散乱するのを防止して損害を少なくすると同時に室内の安全を確保する安価で取り扱いのやさしい地震防災用品を提供する。
【課題を解決するための手段】
【０００４】  上記の目的を達成するために、この考案は、ワイヤー又は紐の片方を本体内部の巻き取りローターに巻き付け、他方を金具などを用いて開き戸に取り付ける。巻き取りローターはゼンマイバネで常にワイヤー又は紐を巻き取る力を発生させている。巻き取りローターの側には支点をはさんでブレーキゴムと案内ローラーを取り付けたブレーキレバーを設ける。ブレーキレバーは引っ張りバネで巻き取りローターに制動がかからないような方向に力を掛けておく。ワイヤー又は紐は案内ローラーを介して開き戸に取り付ける。食器や商品を納めるために長時間開き戸を開けておきたい時のために、巻き取りローターの回転を止めワイヤー又は紐が巻き取られる力を停止して開き戸が自動的に閉まるのを止めるためのストップレバーを設ける。
また、本体内部に、ゼンマイバネで回転するローターと先端をローターに固定、巻き付けられたワイヤー又は紐と、ブレーキ装置、ストップ装置を内蔵し、ワイヤー又は紐の他端に、引き出しへの接続器具若しくは本体を引き出しに取り付けた場合の引き出し保持体への接続器具を有する場合もある。
また、本体内部に、ゼンマイバネで回転するローターと先端をローターに固定、巻き付けられたワイヤー又は紐と、ブレーキ装置、ストップ装置を内蔵し、ワイヤー又は紐の他端に、転倒防止若しくは移動防止対象部位への接続器具を有する場合もある。
【考案の効果】
【０００５】  この考案は、以上説明したように構成するので、以下に記載するような効果を奏する。
普段は開き戸を開ける場合、ゆっくりとした動きなので、開き戸に取り付けられたワイヤー又は紐は、ブレーキレバーの引っ張りバネに打ち勝って、ブレーキレバーに取り付けられた案内ローラーを引っ張り、ブレーキゴムを巻き取りローターに押しつけることができず、常に閉まる力が働いているので開けっ放しの状態をなくすことができる。これは地震の時開けっ放しの状態になることを防ぐとともに、陳列された商品が、開けっ放しによって保冷・冷蔵効果が失われることを防ぐことにより節電などの効果を奏する。
地震が発生した時には、地震の震動で急激にドアーが開かれようとするので、ワイヤー又は紐が大きな力で引っ張られる。ワイヤー又は紐は案内ローラーに掛けられているので案内ローラーにも大きな力がかかり反対側に付けられたブレーキゴムが巻き取りローターに押しつけられ巻き取りローターの回転を止める。このことによってワイヤー又は紐は引き出されなくなり開き戸はそれ以上開かなくすることができる。地震により逆の力が働いたり、開く力がなくなった時は、開き戸には、常にワイヤー又は紐は巻き取りローターに取り付けられたゼンマイバネの力で閉じる方向の力がかかっているので閉じようとする。食器や商品を入れる時など、開き戸を開けたまま作業をしたい場合にはストップレバーによりワイヤー又は紐が巻き取りローターに捲かれるのを停止することによって行うことができる。よって地震で開き戸が開くのを防ぎ、食器や商品が散乱、破損するのを防ぎ、また散乱し破損した食器や商品のガラス片等で怪我をしたり逃げ道を塞がれることを防ぐなど、危険を回避し安全性を確保する効果を奏する。
本体内部に、ゼンマイバネで回転するローターと先端をローターに固定、巻き付けられたワイヤー又は紐と、ブレーキ装置、ストップ装置を内蔵し、ワイヤー又は紐の他端に、引き出しへの接続器具若しくは本体を引き出しに取り付けた場合の引き出し保持体への接続器具を有する場合も同様である。
本体内部に、ゼンマイバネで回転するローターと先端をローターに固定、巻き付けられたワイヤー又は紐と、ブレーキ装置、ストップ装置を内蔵し、ワイヤー又は紐の他端に、転倒防止若しくは移動防止対象部位への接続器具を有する場合も同様である。
【考案を実施するための最良の形態】
【０００６】  この考案は、毎日使用されることから耐久性を必要とし、特に地震の被害を軽減するためのものなので全体として金属や強化プラスチックなどの材料を使って丈夫に作ることが望まれる。この装置は家具や設備機器に製造段階で組み込むと目立たないで一番良いが、既製の家具や設備機器にも取り付けられるように両面テープとねじ止めを併用して、位置決めの便利さと取り付け強度を確保する方が良い。ワイヤー又は紐も金属製のものやテグスなど強度のある合成繊維、天然素材では麻紐など切れにくい耐久性のあるものが望ましい。本体からのワイヤー又は紐の引き出し口は、スムースにワイヤー又は紐が通過できるようにすることが必要である。ブレーキレバー・案内ローラーにもかなりの力がかかるので強度が必要である。ブレーキゴムも耐摩耗性の優れた素材を使用する必要がある。ゼンマイバネの強度はドアーを引き寄せる力が必要であるが、大きすぎると普段開き戸を開ける時にブレーキレバーが作動してしまい、また引っ張りバネも大きすぎると地震の時にブレーキレバーが働かず小さすぎると普段開き戸を開ける時にブレーキレバーが働いてしまうので両バネは力のバランスを考えて設置する必要がある。ストップレバーは、その位置を見える位置に使用しやすい形でレバー式又はプッシュ式で取り付けると良い。
【実施例】
【０００７】  図１は、地震防災用品の本体構造と開き戸との接続を表す投影図である。
図２は、地震防災用品の本体と開き戸との別方法による接続を表す外観図である。
本体１の内部中央に巻き取りローター回転軸７を設け巻き取りローター４を取り付ける。巻き取りローター４の中央部にはゼンマイバネ６を取り付ける。巻き取りローター４にはローター巻き取り部６があり、そこにワイヤー１８ａを巻き付けてある。ワイヤー１８ａは、ブレーキレバー１３に案内ローラー回転軸１６に取り付けられた案内ローラー１５に掛けられて本体１の穴から外部に導かれ、終端を開き戸２１に木ねじ２０で取り付けられたワイヤー１８ａの引っかけ金具１９に接続されている。ブレーキレバー９はブレーキレバー回転軸１４を中心に回転する。ブレーキレバー９の片側にはブレーキゴム１２が取り付けられ、反対側には引っ張りバネ１７が取り付けられ、常にブレーキゴム１２を巻き取りローター４から離す力が掛けられている。普段開き戸をゆっくりと開けるときは、ゼンマイバネ６の力に逆らって巻き取りローター４を回転させるワイヤー１８ａが案内ローター１５に掛ける力より、引っ張りバネ１７の力が勝るので、ワイヤー１８ａがスムースに引き出され開き戸２１を開くことができる。地震などで急激に開き戸２１が開かれると、ワイヤー１８ａの引く力によって案内ローラー１５に掛かる力が引っ張りバネ１７の力より勝り、ブレーキレバー１３をブレーキレバー回転軸１４を中心に回転させる。これによりブレーキレバー１３にとりつけられたブレーキゴム１２が、巻き取りローター４の外周部に押しつけられワイヤー１８ａが引き出されるのを止め、開き戸２１が開かないようになる。地震の逆揺れなどでワイヤー１８ａが開き戸２１により引っ張られなくなると、引っ張りバネ１７の力でブレーキレバー１２が戻り、ゼンマイバネ６の力で巻き取りローター４が回転してワイヤーｌ８ａはローター巻き取り部に巻き取られ開き戸２１は閉まる。
食器の収納や商品の陳列の作業の時、開き戸２１を一時的に開けておきたい場合には、ストップレバー９で行う。ストップレバー９はストップレバー回転軸１１に取り付けられている。ストップレバー９の巻き取りローター４側にはストッパーゴム８を取り付けてある。ストップレバー９は圧縮バネ１０の力でどちらかの側に押しつけられるシーソー運動をする。開き戸２１を開き、ストップレバー９を上げればストッパーゴム８が巻き取りローター４の外周部に押しつけられワイヤー１８ａがローター巻き取り部６に巻き取られなくなり開き戸２１はその時の状態を保つことができる。本体１は蓋２で内部を保護し、底面に両面粘着シート２４を貼り位置決めをしやすくするとともに、取り付け穴３を設け確実に強固に取り付けられるようにする。又、開き戸２１へ紐１８ｂを接続する場合、図２には、開き戸２１に紐の通し穴２３を設け紐１８ｂの終端に紐の抜け止め２２を取り付ける方法を示す。
【産業上の利用の可能性】
【０００８】  上記のように構成した地震防災用品は、家庭における食器棚など開き戸を持つあらゆる家具に取り付けることができると同時に、商店の陳列ケースにも取り付けることができる。地震の発生時、開き戸の解放で収納品が散乱するのを防ぐことは勿論、引き出しの飛び出しにも効果がある。また大型の装置を作れば、ロッカー・家具や冷蔵庫などの電気製品の転倒を防止したり、地震の時テレビなどが飛ばされる事を防止できるものである。普段は自由に動かせるが地震発生時には動きを固定することが必要な場合に、設備の保護・安全の確保をあらゆる場面で提供できる可能性をもっている。
【図面の簡単な説明】
【０００９】
【図１】  地震防災用品の本体構造と開き戸との接続を表す投影図
【図２】  地震防災用品の本体と開き戸との別方法による接続を表す外観図
【符号の説明】
【００１０】  １……本体
２……蓋
３……取り付け穴
４……巻き取りローター
５……ローター巻き取り部
６……ゼンマイバネ
７……ローター回転軸
８……ストッパーゴム
９……ストップレバー
１０……圧縮バネ
１１……ストップレバー回転軸
１２……ブレーキゴム
１３……ブレーキレバー
１４……ブレーキレバー回転軸
１５……案内ローラー
１６……案内ローラー回転軸
１７……引っ張りバネ
１８ａ……ワイヤー
１８ｂ……紐
１９……ワイヤーの引っかけ金具
２０……木ねじ
２１……開き戸
２２……紐の抜け止め
２３……紐の通し穴
２４……両面接着シート
【手続補正３】
【補正対象書類名】図面
【補正対象項目名】全図
【補正方法】変更
【補正の内容】
【図１】
0003110078.tif 000005
【図２】
0003110078.tif 000006